(57)【特許請求の範囲】
【請求項１】
現像済みの写真フイルムを画像読取部に給送してコマ画像を読み取り、前記写真フイルム内の複数のコマ画像を表示手段に表示させるフイルム画像再生方法であって、
前記写真フイルムの複数コマのコマ画像を読み取り、複数コマからなるインデックス画像を作成して表示手段に表示させるインデックス表示モードと、前記写真フイルムのコマ画像を１コマずつ読み取り、その読み取ったコマ画像を１コマずつ前記表示手段に表示させる再生モードであって、それぞれ再生方法の異なる複数の再生モードとを有し、
フイルム画像再生時には最初に前記インデックス表示モードによってインデックス画像を表示手段に表示し、
前記インデックス画像の表示中のみ前記複数の再生モードのうちのいずれか１つの再生モードの指定を可能にし、
前記複数の再生モードのうちのいずれか１つの再生モードによる再生開始が指示されると、前記指定された再生モードに対応した再生方法でコマ画像を１コマずつ前記表示手段に表示し、
前記再生モードでの連続再生中に、予め記憶されているバックグランド・ミュージックを示すオーディオ信号を前記表示手段に出力し、
前記バックグランド・ミュージックを示すオーディオ信号は予め複数曲記憶されており、前記再生モードでの再生のスタート／ストップ及びポーズ／再開のうちの少なくとも一方の操作が行われるごとに前記複数曲の曲目を順次切り替えることを特徴とするフイルム画像再生方法。
【請求項２】
前記再生モードの指定が行われずに前記再生開始が指示されると、前記複数の再生モードのうちの前回指定された再生モード又は特定の再生モードに対応した再生方法でコマ画像を１コマずつ前記表示手段に表示するようにしたことを特徴とする請求項１のフイルム画像再生方法。
【請求項３】
前記複数の再生モードは、前記写真フイルムの情報記録部に記録されたカメラ、フォトフィニッシング装置等によって指定されたプリントタイプの撮影情報等を利用し、自動的に表示効果をもって連続再生するスライドショー再生モードと、
全画面表示状態で一定間隔でコマ送りをしながら連続再生するコマ送り再生モードと、
予め設定された再生するコマの順序、１コマの再生時間、ズームパターン、画面移動のパターン及びコマ切換えのパターンのうちの少なくとも１つにしたがって連続再生するプログラム再生モードと、
マニュアル操作にしたがって１コマずつ再生する一画面再生モードのうちの少なくとも２つ以上の再生モードである請求項１のフイルム画像再生方法。
【請求項４】
現像済みの写真フイルムを画像読取部に給送してコマ画像を読み取り、前記写真フイルム内の複数のコマ画像を表示手段に表示させるフイルム画像再生方法であって、
前記写真フイルムの複数コマのコマ画像を読み取り、複数コマからなるインデックス画像を作成して表示手段に表示させるインデックス表示モードと、前記写真フイルムのコマ画像を１コマずつ読み取り、その読み取ったコマ画像を１コマずつ前記表示手段に表示させる再生モードとを有し、
フイルム画像再生時には最初に前記インデックス表示モードによってインデックス画像を表示手段に表示し、
前記インデックス画像の表示中のみ前記再生モード時における再生開始コマの指定を可能にし、
前記再生開始コマが指定され且つ再生モードによる再生開始が指示されると、前記指定された再生開始コマからコマ画像を１コマずつ表示手段に表示し、
前記再生モードにおいて順方向再生が指示されると、前記再生開始コマから最終コマまでコマ画像を１コマずつ前記表示手段に表示し、逆方向再生が指示されると、前記再生開始コマから先頭コマまでコマ画像を１コマずつ前記表示手段に表示することを特徴とするフイルム画像再生方法。
【請求項５】
現像済みの写真フイルムを画像読取部に給送してコマ画像を読み取り、前記写真フイルム内の複数のコマ画像を表示手段に表示させるフイルム画像再生方法であって、
前記写真フイルムの複数コマのコマ画像を読み取り、複数コマからなるインデックス画像を作成して表示手段に表示させるインデックス表示モードと、前記写真フイルムのコマ画像を１コマずつ読み取り、その読み取ったコマ画像を１コマずつ前記表示手段に表示させる再生モードとを有し、
前記インデックス表示モードによってインデックス画像を表示手段に表示した後、該インデックス画像の表示中のみ前記写真フイルムの全コマに共通した全コマタイトルを入力可能にし、
前記写真フイルムは情報記録部を有し、前記入力された全コマタイトルを示す情報を前記写真フイルムの情報記録部に記録し、
前記全コマタイトルが入力された場合又は前記写真フイルムの情報記録部から全コマタイトルを示す情報を読み取った場合には、前記再生モードによる再生が開始されるまで、前記全コマタイトルを表示手段に表示するようにしたことを特徴とするフイルム画像再生方法。
【請求項６】
前記写真フイルムの情報記録部は、前記写真フイルムに塗布された磁気記録層及び前記写真フイルムが収納されるフイルムカートリッジに取り付けられた記憶手段のうちの少なくとも一方である請求項３又は５のフイルム画像再生方法。
【請求項７】
現像済みの写真フイルムを画像読取部に給送してコマ画像を読み取り、前記写真フイルム内の複数のコマ画像を表示手段に表示させるフイルム画像再生装置であって、
前記画像読取部によって読み取った複数のコマ画像に基づいて複数コマからなるインデックス画像を作成して前記表示手段に表示させるインデックス画像再生手段と、
それぞれ再生方法の異なる複数の再生モードを有し、予め指定された再生モードにしたがって前記画像読取部によって読み取ったコマ画像を１コマずつ前記表示手段に表示させるコマ画像再生手段と、
前記インデックス画像再生手段によるインデックス画像の表示中のみ前記複数の再生モードのうちのいずれか１つの再生モードの指定が可能な再生モード選択手段と、
バックグランド・ミュージックを示すオーディオ信号を予め複数曲記憶する記憶手段と、
前記再生モード選択手段で指定した再生モードでの再生中に前記記憶手段に記憶されたオーディオ信号を読み出して前記表示手段に出力するオーディオ信号発生手段であって、前記再生モードでの再生のスタート／ストップ及びポーズ／再開のうちの少なくとも一方の操作が行われるごとに前記複数曲の曲目を順次切り替えるべく前記記憶手段に記憶された複数曲の中からオーディオ信号を切り替えて読み出すオーディオ信号発生手段と、
を備えたことを特徴とするフイルム画像再生装置。
【請求項８】
現像済みの写真フイルムを画像読取部に給送してコマ画像を読み取り、前記写真フイルム内の複数のコマ画像を表示手段に表示させるフイルム画像再生装置であって、
前記画像読取部によって前記写真フイルムの複数のコマ画像を読み取らせるとともに、
その読み取った複数のコマ画像に基づいて複数コマからなるインデックス画像を作成し、
該インデックス画像を前記表示手段に表示させるインデックス画像再生手段と、
前記画像読取部によって前記写真フイルムの複数のコマ画像のうち予め指定された再生開始コマからコマ画像を読み取らせるとともに、その読み取ったコマ画像を１コマずつ前記表示手段に表示させるコマ画像再生手段と、
前記表示手段にインデックス画像が表示されているときのみ前記再生開始コマの指定が可能な再生開始コマ指定手段と、
前記再生開始コマ指定手段によって指定された再生開始コマから最終コマまで再生する順送り再生、又は再生開始コマから先頭コマまで再生する逆送り再生のいずれかを選択する手段と、
を備えたことを特徴とするフイルム画像再生装置。
【請求項９】
情報記録部を有する現像済みの写真フイルムを画像読取部に給送して該写真フイルムの複数コマのコマ画像を連続して読み取り、複数コマからなるインデックス画像を作成して表示手段に表示させるインデックス表示モードと、前記写真フイルムのコマ画像を１コマ分読み取り、その読み取ったコマ画像を１コマずつ前記表示手段に表示させる再生モードとを有するフイルム画像再生装置において、
操作手段と、該操作手段の操作に基づいて焼増し用のプリント注文情報を編集する編集手段と、該編集手段によって編集されたプリント注文情報を前記写真フイルムの情報記録部に書き込む記録手段とを有し、
前記編集手段は、前記インデックス表示モードの時のみ編集可能な第１の情報と、前記一画面再生モードの時のみ編集可能な第２の情報と、前記インデックス表示モード及び一画面再生モードの両モードで編集可能な第３の情報とをそれぞれ１つ以上有することを特徴とするフイルム画像再生装置。
【請求項１０】
前記第１の情報は、全コマに共通した全コマタイトル及び注文指定コマを示すマークの情報のうち少なくとも１つを含む請求項９のフイルム画像再生装置。
【請求項１１】
前記第２の情報は、撮影日時、プリントタイプ、各コマタイトル、及び撮影日時あるいはタイトルの印字指定を示す情報のうち少なくとも１つを含む請求項９のフイルム画像再生装置。
【請求項１２】
前記第３の情報は、プリント枚数及び天地方向を示す情報のうち少なくとも１つを含む請求項９のフイルム画像再生装置。
【請求項１３】
情報記録部を有する現像済みの写真フイルムを画像読取部に給送してコマ画像を読み取り、前記写真フイルム内の各コマ画像を表示手段に表示させる一連の画像再生処理を行うフイルム画像再生装置において、
前記写真フイルムの情報記録部に記録された情報を読み取る情報読取手段と、
前記情報読取手段によって読み取った情報の読取エラーを検出するエラー検出手段と、
前記エラー検出手段によって情報の読取エラーが検出されると、読取エラーがあったことを警告する警告手段と、
前記エラー検出手段によって情報の読取エラーが検出されると、前記一連の画像再生処理を中断し、ユーザーによる実行指示があると、以降の画像再生処理を続行させる手段と、
を備えたことを特徴とするフイルム画像再生装置。
【請求項１４】
情報記録部を有する現像済みの写真フイルムを画像読取部に給送してコマ画像を読み取り、前記写真フイルム内の各コマ画像を表示手段に表示させるフイルム画像再生装置において、
前記写真フイルムの情報記録部に記録された情報を読み取る情報読取手段と、
前記情報読取手段によって読み取った情報に基づいて前記表示手段に該情報を表示させる手段と、
前記情報読取手段によって読み取った情報中にタイトルを示す情報があり、かつ該タイトルの印字指定情報がない場合には、該タイトルを表示手段に表示することを禁止する手段と、
を備えたことを特徴とするフイルム画像再生装置。
【請求項１５】
情報記録部を有する現像済みの写真フイルムを画像読取部に給送してコマ画像を読み取り、前記写真フイルム内の各コマ画像を表示手段に表示させるフイルム画像再生装置において、
操作手段と、
前記操作手段の操作に基づいて焼増し用のプリント注文情報を編集する編集手段と、
前記編集手段によって編集されたプリント注文情報を前記写真フイルムの情報記録部に書き込むとともに該情報記録部に記録された情報を読み取る手段と、
前記編集手段によって編集された内容を前記表示手段に表示させる表示制御手段であって、タイトルの印字指定情報を入力する入力モード時において前記操作手段によって印字指定情報が入力されるか、予め前記写真フイルムの情報記録部にタイトルの印字指定情報が記録されていると、該印字指定を示すマーク及び文字のうちの少なくとも一方を表示させるとともにタイトルを表示させ、タイトルを示す情報がない場合には、タイトル表示部分を空欄にする表示制御手段と、
を備えたことを特徴とするフイルム画像再生装置。
【請求項１６】
情報記録部を有する現像済みの写真フイルムを画像読取部に給送してコマ画像を読み取り、前記写真フイルム内の各コマ画像を表示手段に表示させるフイルム画像再生装置において、
前記写真フイルムの情報記録部に記録された情報を読み取る情報読取手段と、
前記情報読取手段によって読み取った情報に基づいて前記表示手段に該情報を表示させる手段と、
前記情報読取手段によって読み取った情報中にタイトルの言語を示す言語指定コードとともにタイトル情報があり、かつ該言語指定コードが所定の言語指定コード以外の場合には、その旨を示す第１の表示、前記表示手段のタイトル表示部分を空欄にする第２の表示、言語指定コードと選択タイトルを示すタイトルコードのみを表示する第３の表示、及び所定の言語に翻訳したタイトルを示す第４の表示のうちのいずれか１つを前記表示手段に表示する表示制御手段と、
を備えたことを特徴とするフイルム画像再生装置。
【請求項１７】
前記写真フイルムの情報記録部は、前記写真フイルムに塗布された磁気記録層及び前記写真フイルムが収納されるフイルムカートリッジに取り付けられた記憶手段のうちの少なくとも一方である請求項９、１３、１５又は１６のフイルム画像再生装置。
【発明の詳細な説明】
【０００１】
【発明の属する技術分野】
本発明はフイルム画像再生方法に係り、特に１本のフイルム内の各コマ画像を表示器に表示させ、またフイルムに記録する磁気情報を編集するフイルム画像再生方法及び装置に関する。
【０００２】
【従来の技術】
従来、撮影時に又は撮影後に画面のアスペクト比（プリントタイプ）、ズーム倍率、トリミング情報等を写真フイルムの磁気記録層に記録し、この磁気記録層に記録された磁気情報を写真プリント作成時の条件設定に利用する方法が提案されている（特開平４−２２３４５４号公報、特開平５−１９３５９号公報）。また、撮影時にプリントタイプ等を示す光学情報をフイルムのコマ画像領域以外に記録し、この光学情報を写真プリント作成時の条件設定に利用する方法が提案されている。
【０００３】
更に、現像済みスチル写真フイルムをＣＣＤ等のイメージセンサで撮像し、写真フイルムの画像を画像信号に変換し、これをモニタＴＶに出力してフイルム画像を表示するフイルムプレーヤは、ＷＯ９０／０４３０１等において公知である。
更にまた、１ロールの写真フイルムの全コマのコマ画像を読み取り、複数コマからなるインデックス画像を作成してモニタＴＶに表示させるインデックス表示モードと、写真フイルムのコマ画像を１コマ分読み取り、その読み取ったコマ画像をモニタＴＶに表示させる一画面再生モードとを有するフイルム画像再生装置が提案されており、モニタＴＶに表示されたインデックス画面や１コマ再生画面を見ながら、写真フイルムの磁気記録層に記録する磁気情報を編集する方法が、いくつか提案されている。
【０００４】
即ち、特願平６−９２３号明細書には、焼き増し時に必要な情報として、インデックス画面上で、プリントタイプ、プリント枚数の編集方法が記載されている。また、特願平６−１６２１９３号明細書には、自動再生に必要な情報、及び備え付けのプリンタでプリントするための情報の編集方法として、インデックス画面上と各コマ画面上の両方で、タイトル、日時、画面切替え、色補正、画面移動指定、天地方向を示す情報の編集方法が記載されている。更に、特願平６−２１８８７３号明細書には、焼き増しに必要なプリント注文情報が記載されており、インデックス画面上でのみ、各種情報の編集方法が記載されている。
【０００５】
【発明が解決しようとする課題】
ところで、フイルムプレーヤにより１本のフイルム内の複数のフイルム画像を順次モニタＴＶに表示させる場合には、マニュアル操作にしたがって１コマずつ再生する再生方法や、各コマ画像を所定の時間間隔で連続的に再生する再生方法等が考えられるが、いずれの再生方法で再生すべきかは使用者が適宜選択できることが好ましい。この場合、フイルムに写し込まれている内容が把握できないと、いずれの再生方法で再生すべきか判断に困る場合がある。
【０００６】
また、１本のフイルムの全コマに共通したタイトル（全コマタイトル）を付け、この全コマタイトルをプリント指定することが考えられるが、この場合にも１本のフイルムに写し込まれている内容が把握できないと、適切な全コマタイトルを付けることができないという問題がある。
本発明はこのような事情に鑑みてなされたもので、１本のフイルムを１コマずつ再生する場合にそのフイルムに適した再生モードによる再生を行うことができるとともに、１コマ再生時に所望のコマから再生を開始させることができ、また、そのフイルムに対して適切な全コマタイトルを付けることができ、更に、焼き増し時に必要なプリント注文情報を分かりやすく、かつ容易に編集して磁気記録することができるフイルム画像再生方法及び装置を提供することを目的とする。
【０００７】
【課題を解決するための手段】
本発明は前記目的を達成するために、現像済みの写真フイルムを画像読取部に給送してコマ画像を読み取り、前記写真フイルム内の複数のコマ画像を表示手段に表示させるフイルム画像再生方法であって、前記写真フイルムの全コマのコマ画像を読み取り、複数コマからなるインデックス画像を作成して表示手段に表示させるインデックス表示モードと、前記写真フイルムのコマ画像を１コマずつ読み取り、その読み取ったコマ画像を１コマずつ前記表示手段に表示させる再生モードであって、それぞれ再生方法の異なる複数の再生モードとを有し、フイルム画像再生時には最初に前記インデックス表示モードによってインデックス画像を表示手段に表示し、前記インデックス画像の表示中に前記複数の再生モードのうちのいずれか１つの再生モードの指定を可能にし、１コマ再生が指示されると、前記指定された再生モードに対応した再生方法でコマ画像を１コマずつ表示手段に表示するようにしたことを特徴としている。これにより、表示手段の画面に表示されたインデックス画像によってフイルムの内容を確認することができ、複数の再生モードからフイルムの内容に適した再生モードの選択が可能になる。また、前記再生モードでの連続再生中に、予め記憶されているバックグランド・ミュージックを示すオーディオ信号を前記表示手段に出力し、また再生モードでの連続再生のスタート／ストップ、あるいはポーズ／再開で順次曲目を切り替えることを特徴としている。これにより、バックグランド・ミュージックを効果的に切り替え、フイルム画像の再生を楽しむことができる。
【０００８】
また、本発明は、現像済みの写真フイルムを画像読取部に給送してコマ画像を読み取り、前記写真フイルム内の複数のコマ画像を表示手段に表示させるフイルム画像再生方法であって、前記写真フイルムの全コマのコマ画像を読み取り、複数コマからなるインデックス画像を作成して表示手段に表示させるインデックス表示モードと、前記写真フイルムのコマ画像を１コマずつ読み取り、その読み取ったコマ画像を１コマずつ前記表示手段に表示させる再生モードとを有し、フイルム画像再生時には最初に前記インデックス表示モードによってインデックス画像を表示手段に表示し、前記インデックス画像の表示中に前記再生モード時における再生開始コマの指定を可能にし、前記再生開始コマが指定され且つ再生モードによる再生が指示されると、前記指定された再生開始コマからコマ画像を１コマずつ表示手段に表示するようにしたことを特徴としている。即ち、インデックス画像を見ながら所望の再生開始コマを指定することができ、これにより不要なコマ画像の再生を禁止することができる。また、インデックス表示モードによってインデックス画像を表示手段に表示した後、再生モードによる１コマずつの再生が行われる前に前記写真フイルムの全コマに共通した全コマタイトルを入力可能にしたことを特徴としている。即ち、インデックス画像によって写真フイルムに写し込まれている内容を把握してから適切な全コマタイトルを入力することができるようにしている。更に、全コマタイトルが入力された場合又はフイルムの磁気記録層から全コマタイトルを示す磁気情報を読み取った場合には、インデックス表示モードによるインデックス表示から再生モードによる１コマ再生に移行するまでの期間、全コマタイトルを表示手段に表示するようにしたことを特徴としている。これにより、インデックス表示から再生モードによる１コマ再生に移行するまでの期間、そのフイルムの内容を確認することができる。
【０００９】
更に、本発明は、磁気記録層を有する現像済みの写真フイルムを画像読取部に給送して該写真フイルムの全コマのコマ画像を連続して読み取り、複数コマからなるインデックス画像を作成して表示手段に表示させるインデックス表示モードと、前記写真フイルムのコマ画像を１コマ分読み取り、その読み取ったコマ画像を前記表示手段に表示させる一画面再生モードとを有するフイルム画像再生装置において、操作手段と、該操作手段の操作に基づいて焼増し用のプリント注文情報を編集する編集手段と、該編集手段によって編集されたプリント注文情報を前記写真フイルムの磁気記録層に書き込む磁気記録手段とを有し、前記編集手段は、前記インデックス表示モードの時のみ編集可能な第１の情報と、前記一画面再生モードの時のみ編集可能な第２の情報と、前記インデックス表示モード及び一画面再生モードの両モードで編集可能な第３の情報とをそれぞれ１つ以上有することを特徴としている。即ち、焼き増しに必要なプリント注文情報をインデックス画面と１コマ画面の両方で編集できるようにし、かつ編集するプリント注文情報をインデックス画面でのみ扱う情報と１コマ画面でのみ扱う情報と両方で扱う情報を分けて処理し、ユーザーが混乱なく操作できるようにしている。
【００１０】
更にまた、本発明は、磁気記録層を有する現像済みの写真フイルムを画像読取部に給送してコマ画像を読み取り、前記写真フイルム内の各コマ画像を表示手段に表示させる一連の画像再生処理を行うフイルム画像再生装置において、前記写真フイルムの磁気記録層から磁気情報を読み取る磁気再生手段と、前記磁気再生手段によって再生された磁気情報の再生エラーを検出する再生エラー検出手段と、前記再生エラー検出手段によって磁気情報の再生エラーが検出されると、再生エラーを表示するエラー表示手段と、前記再生エラー検出手段によって磁気情報の再生エラーが検出されると、前記一連の画像再生処理を中断し、ユーザーによる実行指示があると、以降の画像再生処理を続行させる手段とを備えたことを特徴としている。これにより、磁気情報の再生エラーが発生した場合でも、ユーザーはその再生エラーを認識したうえで混乱なく操作することができる。
【００１１】
【発明の実施の形態】
以下添付図面に従って本発明に係るフイルム画像再生方法及び装置の好ましい実施の形態について詳説する。
図１は本発明が適用されるフイルムプレーヤを含むシステム全体の概略構成を示す斜視図である。同図に示すように、フイルムプレーヤ１００は直方体状に形成され、その前面には「電源」キー１、「取出し」キー２、「セレクト」キー３、「メニュー」キー４、カートリッジバケットドア５、リモコン受光部６、「リバース」キー７、「ズーム」キー８、「実行／プレイ」キー９が設けられている。カートリッジバケットドア５は、フイルムカートリッジ（図２参照）の挿入、取出し時に矢印Ａ方向に開かれ、これによりフイルムカートリッジの挿入または取出しが行われる。
【００１２】
このフイルムプレーヤ１００にはモニタＴＶ１０９が接続され、フイルムプレーヤ１００からは信号ケーブル１０８を介して映像信号及びオーディオ信号がモニタＴＶ１０９に出力される。また、フイルムプレーヤ１００は付属のリモコン１２０を有しており、リモコン受光部６を介してリモコン１２０からの赤外リモコン信号を受信できるようになっている。尚、リモコン１２０の各キーのうち、フイルムプレーヤ１００の前面のキーと同じ機能をもつものには同一の符号が付してある。また、１０は「×２」キー、１１は「スキップ」キー、１２は「回転」キー、１３は「データ表示」キーである。尚、リモコン１２０によるフイルムプレーヤ１００の制御の詳細については後述する。
【００１３】
このフイルムプレーヤ１００に適用されるフイルムカートリッジ１１０は、図２に示すように単一のスプール１１２を有し、このスプール１１２に写真フイルム１１４が巻回されている。写真フイルム１１４には、各コマの位置を示すパーフォレーション１１４Ａが穿設されるとともに、フイルム全面又はフイルム縁部に磁気記録層１１４Ｂが形成されており、この磁気記録層１１４Ｂには、磁気ヘッドを有するカメラによってコマ毎の撮影データ等を示す磁気データが記録できるようになっている。また、現像処理された上記写真フイルム１１４はフイルムカートリッジ１１０に巻き取られ、これにより保管できるようになっている。
【００１４】
このフイルムカートリッジ１１０を使用するカメラは、カメラ内蔵の磁気ヘッドによって前記写真フイルム１１４の磁気記録層１１４Ｂに各種の磁気データをコマ毎に記録することができる。記録される磁気データとしては、例えば、コマ番号、ハイビジョン画像、パノラマ画像及び通常画像等のアスペクト比を示すプリントタイプ、撮影日時、写し込まれる画像の天地左右、被写体距離、１画面内における主要被写体の位置等を示すデータが考えられるが、その他、カメラによって多数種類のデータを記録することができる。また、写真フイルム１１４の磁気記録層１１４Ｂには、カメラに限らず、フォトフィニッシング装置によって、プリントタイプやコマ画像の天地左右等を示すデータを記録することができ、更にはフイルムプレーヤ１００によっても後述するように磁気データを記録することができる。更にまた、前記写真フイルム１１４には、被写体光によって露光されるコマ領域以外にフイルムタイプ、コマ番号等を示すバーコードや、撮影時にカメラ内蔵の光源によってプリントタイプ等を示すデータを光学的に記録することができる。
【００１５】
図３は上記フイルムプレーヤ１００の内部構成の一実施の形態を示すブロック図である。このフイルムプレーヤ１００は、主として照明用の光源１３０、撮影レンズ１３６、ＣＣＤラインセンサ１４２を含むＣＣＤ回路ユニット１４０、第１信号処理回路１５１、第２信号処理回路１５２、第３信号処理回路１５３、メモリ制御回路１５４、ＣＣＤバッファＭ１、表示バッファＭ２、中央処理装置（ＣＰＵ）１６０、フイルム駆動メカ１７０、光学データ読取装置１８０、磁気記録再生装置１８２、サウンド発生装置１８４等を備えている。
【００１６】
光源１３０は、例えばフイルム１１４の給送方向と直交する方向に長い蛍光灯からなり、赤外カットフィルタ１３２を介してフイルム１１４を照明する。フイルム１１４を透過した画像光は、単焦点の撮影レンズ１３６を介してＣＣＤラインセンサ１４２の受光面に結像される。尚、ＣＣＤラインセンサ１４２によるフイルム画像の撮像中には、フイルム１１４はフイルム駆動メカ１７０によって一定速度で矢印Ａ方向（以下、順方向という）又は矢印Ｂ方向（以下、逆方向という）に移動させられるが、このフイルム駆動の詳細については後述する。
【００１７】
ＣＣＤラインセンサ１４２はフイルム給送方向と直交する方向に配設されている。そして、ＣＣＤラインセンサ１４２の受光面に結像された画像光は、Ｒ，Ｇ，Ｂフィルタを有する各センサで所定時間電荷蓄積され、光の強さに応じた量のＲ，Ｇ，Ｂの信号電荷に変換される。このようにして蓄積された信号電荷は、ＣＣＤ駆動回路１４４から加えられる所定周期のリードゲートパルスによってシフトレジスタに読み出され、レジスタ転送パルスによって順次読み出される。
【００１８】
尚、ＣＣＤラインセンサ１４２は、フイルム給送方向と直交する方向に例えば１０２４画素分のセンサを有している。また、１コマのフイルム給送方向と同方向の画素数は、ＣＣＤ駆動回路１４４のリードゲートパルス等の周期を変更しない場合にはフイルム給送速度に応じて変化し、本実施の形態では標準のフイルム画像を取り込む時の給送速度の１／２倍、１倍、８倍、１６倍の各速度における画素数は、１７９２画素、８９６画素、１１２画素、５６画素である。
【００１９】
このようにしてＣＣＤラインセンサ１４２から読み出された信号電荷は、ＣＤＳクランプによってクランプされてＲ，Ｇ，Ｂ信号としてアナログ処理回路１４６に加えられ、ここでＲ，Ｇ，Ｂ信号のゲイン等が制御される。アナログ処理回路１４６から出力されるＲ，Ｇ，Ｂ信号はマルチプレクサ１４８によって点順次化され、Ａ／Ｄコンバータ１５０によってデジタル信号に変換されたのち、第１信号処理回路１５１及びＣＰＵ１６０に加えられる。
【００２０】
第１信号処理回路１５１は、白バランス調整回路、ネガポジ変転回路、γ補正回路及びＲＧＢ同時化回路等を含み、順次入力する点順次のＲ，Ｇ，Ｂ信号を各回路で適宜信号処理したのち、同時化したＲ，Ｇ，Ｂ信号を第２信号処理回路１５２に出力する。尚、第１信号処理回路１５１における白バランス調整回路は、ＣＰＵ１６０から加えられる制御信号に基づいて行うもので、その詳細は後述する。
【００２１】
第２信号処理回路１５２はマトリクス回路を有し、入力するＲ，Ｇ，Ｂ信号に基づいて輝度信号Ｙ及びクロマ信号Ｃr/b を生成し、これらをメモリ制御回路１５４に出力する。
メモリ制御回路１５４は、上記輝度信号Ｙ及びクロマ信号Ｃr/b のＣＣＤバッファＭ１への書込み／読出しを制御するとともに、ＣＣＤバッファＭ１に記憶された輝度信号Ｙ及びクロマ信号Ｃr/b の表示バッファＭ２への書込み／読出しを制御する。尚、ＣＣＤバッファＭ１及び表示バッファＭ２への書込み／読出し制御の詳細については後述する。
【００２２】
メモリ制御回路１５４によって表示バッファＭ２から読み出される輝度信号Ｙ及びクロマ信号Ｃr/b は、第３信号処理回路１５３に加えられる。第３信号処理回路１５３は、入力する輝度信号Ｙ及びクロマ信号Ｃr/b に基づいて例えばＮＴＳＣ方式のカラー複合映像信号を生成し、これをＤ／Ａコンバータ１５６を介してビデオ出力端子１５８に出力する。尚、メモリ制御回路１５４、第３信号処理回路１５６及びＤ／Ａコンバータ１５６には同期信号発生回路１５９から所定周期の同期信号がそれぞれ加えられており、これにより各回路の同期がとられるとともに所要の同期信号を含む映像信号が得られるようにしている。また、ＣＣＤ回路ユニット１４０、Ａ／Ｄコンバータ１５０、第１信号処理回路１５１、第２信号処理回路１５２及びメモリ制御回路１５４にはＣＰＵ１６０によって制御されるタイミング信号発生回路１６２からタイミング信号がそれぞれ加えられており、これにより各回路の同期がとられている。
【００２３】
フイルム駆動メカ１７０は、フイルムカートリッジ１１０のスプール１１２と係合し、そのスプール１１２を正転／逆転駆動するフイルム供給部と、このフイルム供給部から送出されるフイルム１１４を巻き取るフイルム巻取部と、フイルム搬送路に配設され、フイルム１１４をキャプスタンとピンチローラとで挟持してフイルム１１４を一定速度で送る手段とから構成されている。尚、上記フイルム供給部は、フイルムカートリッジ１１０のスプール１１２を図３上で時計回り方向に駆動し、フイルム先端がフイルム巻取部によって巻き取られるまでフイルムカートリッジ１１０からフイルム１１４を送り出すようにしている。
【００２４】
光学データ読取装置１８０は、フイルム１１４のパーフォレーション１１４Ａを光学的に検出する第１の光センサ１８０Ａと、フイルム縁部に書き込まれているバーコード等の光学データを光学的に検出する第２の光センサ１８０Ｂとを含み、これらの光センサ１８０Ａ、１８０Ｂを介して検出した光学データを処理してＣＰＵ１６０に出力する。
【００２５】
磁気記録再生装置１８２は磁気ヘッド１８２Ａを含み、磁気ヘッド１８２Ａを介してフイルム１１４の磁気記録層１１４Ｂに記録されている磁気データを読み取り、その磁気データを処理してＣＰＵ１６０に出力してＲＡＭ１６０Ａに記録し、また、ＣＰＵ１６０のＲＡＭ１６０Ａに記録されたデータを読み出し、これを磁気記録に適した信号に変換したのち磁気ヘッド１８２Ａに出力し、フイルム１１４の磁気記録層１１４Ｂに記録する。
【００２６】
サウンド発生装置１８４は、例えば３種類のバックグランド・ミュージック（ＢＧＭ）に対応するオーディオデータを記憶するＲＯＭ、及びＲＯＭから読み出したオーディオデータからオーディオ信号を発生するオーディオ信号発生器等からなり、ＣＰＵ１６０からの指令に基づいて適宜ＢＧＭを切り替えて出力する。尚、このＢＧＭの切り替えの詳細については後述する。また、このサウンド発生装置１８４は、キー操作音等の効果音やエラー音の出力にも兼用できる。
【００２７】
次に、上記構成のフイルムプレーヤ１００の作用について、図４乃至図６に示すフローチャートを参照しながら説明する。
このフイルムプレーヤ１００は、プレーヤ本体背面の図示しない電源スイッチがＯＮされ、スタンバイ状態（１次電源ＯＮ）となっている（ステップＳ１）。尚、長期間使用しないときには本体背面の電源スイッチをＯＦＦにし、１次電源を切る。このスタンバイ状態で、「取出し」キー２を押すと、フイルムカートリッジの排出又は挿入が可能になる（ステップＳ１−１，Ｓ１−２）。尚、フイルムカートリッジが挿入されると、自動的に初期状態（ステップＳ２）に移行する。また、スタンバイ状態で「電源」キー１を押すと、初期状態（２次電源ＯＮ）となり、初期状態で「電源」キー１を押すと、再びスタンバイ状態に戻る（ステップＳ２）。
【００２８】
初期状態で「メニュー」キー４を押すと、初期メニューがモニタＴＶに表示され（ステップＳ２−１）、「セレクト」キー３と「実行／プレイ」キー９との操作によるオンスクリーン対話方式により、「再生モード指定」及び「ミュージック」の各メニューの選択が可能になる。即ち、オンスクリーンメニューにおいて、「セレクト」キー３の↑↓キーを操作することによりメニュー項目を選択し、←→キーを操作することにより選択したメニュー項目の内容を切り替える。尚、「再生モード指定」メニューでは、スライドショー再生モード、コマ送り再生モード、プログラム再生モード、及び一画面再生モードの４種類の再生モードのうちのいずれかが選択される。各再生モードの詳細については後述する。また、「ミュージック」メニューでは、ＢＧＭのＯＮ／ＯＦＦが選択される。
【００２９】
「取出し」キー２はいつでも有効になっており、「取出し」キー２を押すと（ステップＳ２−２）、フイルムの巻戻しなどの所定の動作を行ったのち、カートリッジを排出し、初期状態となる。尚、後述するように各種の情報が入力・編集されている場合には、これらの情報（磁気ＩＸ情報）の書換えを行うか否かを「セレクト」キー３で選択する（ステップＳ２−３）。ここで、書換えを選択して「実行／プレイ」キー９を押すと、図７に示すようにフイルム１１４を１４８．０ｍｍ／秒の高速で最終コマから逆方向に給送し、この給送中に予めフイルムの磁気記録層から読み取られてＣＰＵ１６０のＲＡＭ１６０Ａに記憶された磁気情報や、その後編集されたデータ等がフイルムの全コマの磁気記録層に再び記録され（ステップＳ２−４）、この巻戻し終了後カートリッジが排出される。また、磁気情報が変更されなかった場合や、磁気情報の変更があっても書換えを選択しない場合には、磁気記録は行われない。
【００３０】
さて、カートリッジが装着されると、フイルム種別が検出される（ステップＳ２−５）。即ち、ＣＰＵ１６０はカートリッジの「現像済み識別マーク」を読み取り、未現像フイルムを収納したカートリッジが検出された場合には直ちにカートリッジを排出する（ステップＳ２−６）。現像済みフイルムを収納したカートリッジの場合には、ＣＰＵ１６０はフイルム駆動メカ１７０を制御してフイルムローディングを実行する。即ち、カートリッジからフイルムを送り出し、フイルム先端をフイルム巻取部の巻取軸に巻き付ける。尚、フイルムローディング時にクリーニングフイルムを収納したカートリッジが検出された場合には、ヘッドクリーニングを行うか否かを「セレクト」キー３で選択し（ステップＳ２−７）、ヘッドクリーニングを選択して「実行／プレイ」キー９を押すと、ヘッドクリーニング動作を行ったのち（ステップＳ２−８）、カートリッジを排出する。
【００３１】
現像済みフイルムを収納したカートリッジのフイルムローディングが完了すると、フイルムの第１のプリスキャン（ＩＸ・スキャン）及び第２のプリスキャン（インデックス・スキャン）を実行する（ステップＳ３、Ｓ４）。即ち、ＩＸ・スキャン時には、図７に示すようにフイルムを１４８．０ｍｍ／秒の高速で順方向に給送し、ＣＣＤラインセンサ１４２を介して画像データを取り込むとともに、光学データ読取装置１８０及び磁気記録再生装置１８２を介して光学データ及び磁気ＩＸデータを読み取る。
【００３２】
次に、上記ＩＸ・スキャン時に取り込んだ画像データに基づく処理について説明する。
ＣＰＵ１６０は、図３に示すＡ／Ｄコンバータ１５０から点順次のＲ，Ｇ，Ｂ信号を入力する。ＣＰＵ１６０は、全コマのＲ，Ｇ，Ｂ信号を各別に取り込み、色信号別のオフセット量、及び白バランスを調整するための色信号別のゲイン調整量を算出し、これらの色信号別のオフセット量を示すオフセットデータ及びゲイン調整量を示すＡＷＢデータをコマ毎にＣＰＵ内蔵のランダム・アクセス・メモリ（ＲＡＭ）１６０Ａに記憶する。また、各コマのＲ，Ｇ，Ｂ信号から各コマの明るさを示すＡＥデータをＲＡＭ１６０Ａに記憶する。尚、ＣＰＵ１６０は、光学データ読取装置１８０及び磁気記録再生装置１８２を介して加えられる光学データ及び／又は磁気データに基づいてフイルムの各コマを検知することができ、また、各コマをカウントすることによりコマ番号も検知することができる。
【００３３】
次に、フイルムのインデックス・スキャンを実行する。即ち、このインデックス・スキャン時には、図７に示すようにフイルム１１４を７４・０ｍｍ／秒の高速で逆方向に巻き戻し、再びＣＣＤラインセンサ１４２を介して画像データを取り込む。この画像データの取込み時には、ＣＰＵ１６０は、ＲＡＭ１６０Ａに記憶したＡＥデータに基づいて絞り制御装置１６４を介して各コマ毎に絞り１３４を制御する。尚、ＣＣＤラインセンサ１４２として、電子シャッタ機構を有するものを使用する場合には、ＣＣＤ駆動回路１４４を介してＣＣＤラインセンサ１４２における電荷蓄積時間を制御することにより、露光量を調整することができ、この場合には絞り１３４や絞り制御装置１６４は不要になる。
【００３４】
また、ＣＰＵ１６０は、第１信号処理回路１５１において、各コマ毎にＲ，Ｇ，Ｂ信号のオフセット量及び白バランスの調整を行わせる。即ち、ＣＰＵ１６０は、ＲＡＭ１６０Ａに記憶した各コマの色信号毎のオフセットデータを第１信号処理回路１５１に出力し、第１信号処理回路１５１はこのオフセットデータに基づいて点順次のＲ，Ｇ，Ｂ信号のオフセット量を調整する。同様に、ＣＰＵ１６０は、ＲＡＭ１６０Ａに記憶した各コマの色信号毎のＡＷＢデータを第１信号処理回路１５１に出力し、第１信号処理回路１５１はこのＡＷＢデータに基づいて点順次のＲ，Ｇ，Ｂ信号のゲインを調整する。
【００３５】
上記ＡＥ／ＡＷＢデータ等に基づいて各コマの画像データを調整しているため、各コマの撮影条件にかかわらず、良好な画像データを取り込むことができる。
このようにして調整された各コマの画像データ、即ち、第２信号処理回路１５２から出力される輝度信号Ｙ及びクロマ信号Ｃr/b は、メモリ制御回路１５４を介してＣＣＤバッファＭ１に順次記憶される。尚、前述したように標準のフイルム画像を取り込む時の給送速度の８倍の速度でフイルムが給送されるため、図８（Ａ）に示すように１コマのフイルム給送方向と同方向の画素数は、１１２画素である。また、ＣＣＤラインセンサ１４２は、前述したようにフイルム給送方向と直交する方向に１０２４画素分のセンサを有しているが、１／１６に間引くことにより１コマのフイルム給送方向と直交する方向の画素数は、６４画素である。そして、ＣＣＤバッファＭ１は、図８（Ａ）に示すように５１２×１０２４画素のデータを記憶する記憶容量を有しており、これにより５×４×２（＝４０）コマ分の画像データを記憶することができる。即ち、ＣＣＤバッファＭ１には、４０コマ分のインデックス画像を示す画像データが記憶されることになる。
【００３６】
表示バッファＭ２は、図８（Ｂ）に示すように５１２×１０２４画素のデータを記憶する記憶容量を有しているが、上記インデックス画像を示す画像データを記憶する場合には、１コマの画素が７３×１２８に拡大されて５×４（＝２０）コマ分の画像データを記憶する。そして、インデックス画像をモニタＴＶに表示させる場合には、表示バッファＭ２の左上の４８０×６４０画素分の領域が読み出される（図８（Ｂ）、（Ｃ）参照）。
【００３７】
さて、ＣＣＤバッファＭ１には、図８（Ａ）に示すように上記スキャン時における各コマの画像データの読取り順に、各コマの画像データが左上の記憶領域から右側に向かって順次記憶され、４コマ分記憶されると、１行下がった記憶領域から再び右側に向かって順次記憶される。そして、５行分（４×５＝２０コマ分）記憶されると、隣の２０コマ分の記憶領域に同様にして記憶される。
【００３８】
ＣＣＤバッファＭ１への上記記憶動作中にも、ＣＣＤバッファＭ１の記憶内容は表示バッファＭ２に転送される。
表示バッファＭ２には１度に２０コマ分の画像データしか記憶できないため、ＣＣＤバッファＭ１に２１コマ目の画像データが入力されると、インデックス画像を上方向にスクロールさせるように、表示バッファＭ２への画像データの書換え及び読み出しが行われる。例えば、ＣＣＤバッファＭ１に２１コマ目の画像データが入力されると、表示バッファＭ２のコマ番号１〜４の１行分の記憶領域の画像データがクリアされ、２１コマ目の画像データが書き込まれるとともに、映像信号出力時のスキャン開始アドレスを２行目に変更される。これにより、モニタＴＶでは１行分だけ上方向にスクロールしたインデックス画像が表示されることになる。このようにして全コマの画像データがＣＣＤバッファＭ１に記憶されると、モニタＴＶには再びコマ番号１〜２０までのインデックス画像が表示されるように下方向にスクロール又は画面が切り替えられる。尚、ＩＸ・スキャン中には磁気ＩＸ情報の再生エラーの検知を行い、再生エラーがあった場合には、エラー表示を行うとともにエラー音を発生する（図４のステップＳ５）。この場合、「実行／プレイ」キー９を押すと、そのまま動作を実行する。
【００３９】
ここで、磁気ＩＸ情報の再生エラーの検知／処理等の説明にあたり、磁気トラックに記録される磁気ＩＸ情報の記録フォーマットについて説明する。
図１３に示すように、磁気ＩＸ情報は、データフィールドとデータブロックを１つの単位として構成される。１つのデータフィールドは、実データＤＡＴＡ１〜ＤＡＴＡｎの前後に、制御コードとして、そのフィールドに記録されるデータ内容を規定する２つのＩＤコード、ＩＤ１、ＩＤ２、及びフィールドのデータ長を示すＬＮＧ、及びＩＤ１〜ＤＡＴＡｎまでの縦方向のパリティー値を示すＬＲＣを付加して構成される。また、１つのデータブロックは、１あるいは複数のデータフィールドの前後にそのブロックの開始を示すＳＳマーク、バージョンＮｏを示すＶＩマーク、及び終了を示すＥＳマークを付加して構成される。磁気記録する場合は、このブロックを複数重ね書きすることで行われる。また、磁気ＩＸ情報として記録される総てのデータの最上位ビットは、図１４に示すように、そのバイトデータのパリティービットにあてられている。尚、図１３において、Ｓｙｎｃは同期信号で、“０”が４ビット以上記録されている。
【００４０】
次に、図１５に示すフローチャートに基づいて、磁気ＩＸ情報の再生処理、編集処理、及び再記録処理について説明する。
同図に示すように、磁気ＩＸ情報の再生動作（ステップＳ５−１）は、フイルム送り出し時に行う。そして、再生情報の解析は、各コマ毎に行い、ＳＳマーク、ＥＳマーク、ＶＩマークが正常な位置にあり、また、ＬＮＧチェックもＯＫで、かつＬＲＣチェックで１ビットのエラーが発生した場合のそのビットの訂正も含め、総てのデータが正常であれば（ステップＳ５−２〜Ｓ５−５）、そのコマの磁気トラックは正常再生トラックとして処理する（ステップＳ５−６）。
【００４１】
一方、ＳＳマークがあり、ＥＳマーク、ＶＩマーク、ＬＮＧチェックのいづれか１つでもＮＧになるか、あるいは２ビット以上のエラーが発生した場合は、そのコマの磁気トラックは再生エラートラックとして処理する（ステップＳ５−７）。また、ＳＳマークがない場合は（ステップＳ５−２）、クロックの有無（ステップＳ５−８）によりデータ無しトラック（ステップＳ５−９）、信号無しトラック（ステップＳ５−１０）として処理する。
【００４２】
総てのコマについて、同様の処理を行い、再生エラートラックが１つでもあれば（ステップＳ５−１１）、インデックス画面表示直後にモニタＴＶに“磁気ＩＸ再生エラーです”を表示し（ステップＳ５−１２）、以降の処理を継続させるか否かの選択をユーザーに行わせる。そして、再生エラーが発生した場合でも、ユーザーが継続処理する旨を選択した場合（即ち、「実行／プレイ」キー９を押した場合）は、正常に再生した場合と同様に、以降の処理は行うことができる（ステップＳ５−１４）。
【００４３】
一方、再生エラートラックがなく（ステップＳ５−１５〜Ｓ５−１７）、バージョンエラートラックがある場合（ステップＳ５−１８）は、上記と同様にインデックス画面表示直後にモニタＴＶに“磁気ＩＸバージョンエラーです”を表示し（ステップＳ５−１９）、以降の処理を継続させるか否かの選択をユーザーに行わせる。そして、バージョンエラーが発生した場合でも、ユーザーが継続処理する旨を選択した場合は、正常に再生した場合と同様に、以降の処理は行うことができる（ステップＳ５−１４）。
【００４４】
尚、継続否を選択した場合（即ち、「取出し」キー２を押した場合）は、フイルムの巻き取り動作を行う。尚、再生エラーが発生したコマで自動再生等に必ず必要な情報、例えば天地情報、プリントタイプ等は、初期値を設けておき、それぞれ“上”、“ハイビジョン”として処理する。
さて、上記のようにしてインデックス画像の作成が行われると、インデックス画像がモニタＴＶに表示される（図５のステップＳ６）。このときのモニタＴＶの画面を図９に示す。同図に示すように、モニタ画面には、２０コマのインデックス画像が表示されるとともに、画像選択マーク１０、コマ番号１２、コマの天地方向を示す上方向マーク１４が表示される。尚、画像選択マーク１０は、「セレクト」キー３の操作によって上下左右方向に移動させることができ、この画像選択マーク１０によって選択されたコマのコマ番号１２及び上方向マーク１４が表示される。また、「実行／プレイ」キー９又は「リバース」キー７を押すと、画像選択マーク１０によって指定したコマから指定した再生モードで再生が開始される。
【００４５】
次に、上記インデックス画面で各コマの上方向の指定を行う場合について説明する。この場合には、「セレクト」キー３を操作しながら、図１０（Ａ）に示すように上方向の指定を行うコマに画像選択マーク１０を移動させ（図１０（Ａ）では３コマ目）、続いてリモコン１２０の「回転」キー１２を押し、そのコマの上方向を指定する。尚、上方向マーク１４は、「回転」キー１２を押す毎に図１０（Ｂ）に示すように時計回り方向に９０°ずつ回転し、その回転位置がコマの上方向を指定する。
【００４６】
また、再生モード時における非表示コマを指定する場合には、「セレクト」キー３を操作しながら、図１１に示すように非表示コマの指定を行うコマに画像選択マーク１０を移動させ（図１１では２コマ目）、続いてリモコン１２０の「スキップ」キー１１を押す。これにより、非表示コマはインデックス画像から消去されるとともに、スキップを示す「Ｓ」マークが表示される。
【００４７】
一方、上記インデックス表示中に「メニュー」キー４を押すと、インデックスメニューがモニタＴＶに表示され（ステップＳ６−１）、前述した「再生モード指定」及び「ミュージック」の他に、「プリント枚数指定へ」、「全コマタイトル入力へ」及び「再生プログラムの入力へ」の各メニューの選択が可能になる。
いま、「セレクト」キー３の↑↓キーで「プリント枚数指定へ」のメニューを選択し、「実行／プレイ」キー９を押すと、図１２に示すようにプリント枚数１６が表示されるプリント枚数指定画面となる（ステップＳ６−１）。この画面で「セレクト」キー３を操作しながら、プリント指定を行うコマに画像選択マーク１０を移動させ（図１２では１１コマ目）、続いて「ズーム」キー８でプリント枚数をアップダウンさせながら所望のプリント枚数を指定することができる。尚、プリント注文されたインデックス画像のコマには、注文指定コマを示す「Ｐ」マークが表示される。
【００４８】
また、「セレクト」キー３の↑↓キーで「全コマタイトル入力へ」のメニューを選択し、「実行／プレイ」キー９を押すと、全コマタイトル（１ロールのフイルムの全コマに共通するタイトル）を入力することができる全コマタイトル入力画面となる（ステップＳ６−３）。この画面において、カナ文字や英数文字、あるいは選択タイトル等を「セレクト」キー３で適宜選択し、所望の全コマタイトルを入力することができる。
【００４９】
また、「セレクト」キー３の↑↓キーで「再生プログラムの入力へ」のメニューを選択し、「実行／プレイ」キー９を押すと、プログラム選択画面となり、プログラム番号とプログラムタイトルが表示される（ステップＳ６−４）。尚、このメニューは、１ロールの複数のコマ画像を好みの順番で、好みの効果を付けて連続再生するためのプログラム再生の設定メニューである。この画面において、「セレクト」キー３の↑↓キーで入力・編集するプログラム番号を選択し、「実行／プレイ」キー９を押すと、「プログラムタイトル入力」画面が表示され（ステップＳ６−５）、ここで所望のタイトルを入力する。タイトル入力を終了させて、「実行／プレイ」キー９を押すと、プログラムタイトルが確定し、「プログラム入力」画面が表示される（ステップＳ６−６）。
【００５０】
この画面において、「セレクト」キー３の↑↓キーでメニュー項目を移動し、←→キーでメニュー項目の条件を切り替え、「実行／プレイ」キー９で条件を決定する。次に「次ステップ」を選択して「実行／プレイ」キー９を押し、次のステップを入力する。尚、このプログラム再生で入力される再生情報としては、以下のものがある。
・コマ再生時間      ：１コマの再生時間（１〜１５秒）
・ズームパターン指定：ズームアップ、ズームダウン、なし
・画面移動のパターン：ズーム後又は初期表示の画面移動のパターンで、・右→左、左→右、上→下、下→上、なし
・コマ切換えパターン：次のコマに移るときの表示切換方法で、・オーバーラップ、・ワイプ、・フェード
さて、再生モードには、前述したようにスライドショー再生モード、コマ送り再生モード、プログラム再生モード、及び一画面再生モードの４種類の再生モードがある。ここで、スライドショー再生モードとは、カメラ等で指定されたプリントタイプの撮影情報等を利用し、自動的に表示効果をもって連続再生するモードである。
【００５１】
即ち、フイルムプレーヤ１００は、磁気記録再生装置１８２によってフイルム１１４の磁気記録層１１４Ｂに記録された磁気情報を読み取ることができるが、ここで読み取られる磁気情報のうち、プリントタイプ、撮影日時、写し込まれる画像の天地左右、主要被写体の大きさ、１画面内における主要被写体の位置等を示す磁気情報は、撮影時にカメラ内蔵の磁気ヘッドによって磁気記録される。
【００５２】
従って、フイルムプレーヤ１００は、撮影時にカメラによって記録された磁気情報を読み取ることにより、次表に示す自動再生情報を自動的に設定することができる。
【００５３】
【表１】
0003700884.tif 000002
0003700884.tif 000003
尚、表１における撮影日時とタイトル情報との関係は、予めフイルムプレーヤ１００内のメモリに記憶されているものとする。
【００５４】
このように、カメラによって予め記録した磁気情報に基づいて自動再生効果を高めるための各種の自動再生情報を自動的に設定することができ、上記スライドショー再生モードは、これらの情報を自動再生情報の一部として使用した再生モードである。
また、コマ送り再生モードは、全画面表示状態で一定間隔でコマ送りをしながら連続再生する再生モードであり、プログラム再生モードは、上述したように予め設定した再生するコマの順序、１コマの再生時間、ズームパターン、画面移動のパターン及びコマ切換えのパターンのうちの少なくとも１つにしたがって連続再生する再生モードであり、一画面再生モードは、マニュアル操作にしたがって１コマずつ再生する再生モードである。
【００５５】
インデックス表示画面において、「実行／プレイ」キー９又は「リバース」キー７を押すと、インデックス表示画面から指定された再生モードによる連続（一画面）再生が開始されるまでの間は、ステップＳ６−３で入力した全コマタイトルが表示され（ステップＳ７）、その後、指定された再生モードで再生開始コマから最終コマまで順送り再生され、又は再生開始コマから先頭コマまで逆送り再生される（ステップＳ８）。尚、プログラム再生モードが選択されている場合には、再生プログラム番号を選択し、「実行／プレイ」キー９を押すことにより、プログラム再生モードによる自動再生が開始される（ステップＳ６−７）。また、再生モードを特に指定しない場合には、所定の再生モード（例えば、スライドショー再生モードあるいは前回の再生モード）で再生を開始する。
【００５６】
ステップＳ８において、各再生モードに応じた１コマ再生を行う場合には、再生開始コマまでフイルムを給送し、図７に示すようにフイルム１１４を９．２５ｍｍ／秒で１コマ分給送して、再生開始コマのスキャン（本スキャン）を行う。この本スキャン時にＣＣＤラインセンサ１４２を介して画像データがＣＣＤバッファＭ１に取り込まれる。
【００５７】
この画像データの取込み時には、ＣＰＵ１６０は、ＲＡＭ１６０Ａに記憶したＡＥデータ、ＡＷＢデータ等に基づいて各コマの画像データを調整しているため、各コマの撮影条件にかかわらず、良好な画像データを取り込むことができる。また、このようにしてＣＣＤバッファＭ１に取り込まれる１コマ分の画素数は、図８（Ｄ）に示すように５１２×８９６画素である。即ち、１０２４画素分のセンサを有するＣＣＤラインセンサ１４２のＣＣＤ出力を、本スキャン時には１／２に間引き、これにより１コマのフイルム給送方向と直交する方向の画素数を５１２とし、また、フイルム給送速度をインデックス画像の画像データの取込み時に比べて１／８にすることにより、インデックス画像の１コマのフイルム給送方向と同方向の画素数（１１２画素）の８倍の８９６画素としている。
【００５８】
上記のようにしてＣＣＤバッファＭ１に取り込まれた１コマ分の画像データは、表示バッファＭ２に転送され、この表示バッファＭ２の記憶内容が繰り返し読み出されことによりモニタＴＶに１コマの画像が表示される。以下、再生モードに応じて順次１コマずつコマ画像を読み取り、そのコマ画像をモニタＴＶに表示する。
【００５９】
このステップＳ８での再生中に、リモコン１２０の「データ表示」キー１３を押すと、コマデータの表示／非表示等が切り替えられる。即ち、コマ画像にそのコマに関するデータが表示されていない「データ表示なし」の状態から「データ表示」キー１３を押す毎に、「データ表示１」→「データ表示２」→「データ表示３」→「データ表示なし」に切り替えられる。尚、「データ表示１」ではコマ画像にそのコマ番号が表示され、「データ表示２」ではコマ画像に撮影日付及びコマ番号が表示され、「データ表示３」ではコマ画像に撮影日付、プリントタイプ、シャッター速度、絞り値、全コマタイトル、各コマタイトル及びコマ番号等が表示される。
【００６０】
また、ステップＳ８での連続再生中に、「実行／プレイ」キー９又は「リバース」キー７を押すと、図６のステップＳ９に示すように一時停止して一画面再生となり、この状態で「実行／プレイ」キー９又は「リバース」キー７を押すと、再び連続再生（ステップＳ８）に戻る。この再生モードでの連続再生のスタート／ストップ、あるいはポーズ／再開により、３曲のＢＧＭは順次切り替えられる。
【００６１】
更に、再生モードが一画面再生の場合と、連続再生の一時停止で一画面再生の場合には、表示画面のパン・チルト、回転、マニュアルズーム、×２拡大表示ができる。即ち、一画面再生状態で、「セレクト」キー３の←→キーを押すと画面をパン（左右方向）移動させることができ、↑↓キーを押すと画面をチルト（上下方向）移動させることができる。また、リモコン１２０の「回転」キー１２を押すと、押す毎に画像を９０°単位で反時計回り方向に回転させることができ、「ズーム」キー８を押すと画像をズームアップ／ズームダウンさせることができる。尚、この場合のズームは、画像データの補間や間引きによって行う電子ズームであり、拡大・縮小率は約０．５〜約２倍である。また、
また、リモコン１２０の「×２」キー１０を押すと、表示画像を２倍に拡大して表示することができる。即ち、「セレクト」キー３と「ズーム」キー８で表示範囲を移動してから「×２」キー１０を押すと、その表示範囲を基準にして通常の２倍の解像度で画像を再スキャンする。このときのスキャン時には、図７に示すようにフイルム１１４を４．６３ｍｍ／秒（通常の本スキャンの速度の１／２）で給送するとともに、ＣＣＤラインセンサ１４２のＣＣＤ出力を間引かずに、「セレクト」キー３で指定されたズーム中心を基準にして取り込む。これにより、通常の本スキャン時に比べて２倍にズーミングされた画像データが取り込まれることになる。この画像データに対して、電子ズームをかけることにより、最大４倍までズーミングすることができるようになる。
【００６２】
さて、一画面再生時（図６のステップＳ９）に、「メニュー」キー４を押すと、一画面メニューがモニタＴＶに表示され（ステップＳ９−１）、「指定コマへのスキップ」、「プリント枚数指定」、「日付入力へ」、「プリント注文指定へ」及び「インデックスへ戻る」の各メニューの選択が可能になる。
いま、ステップＳ９−１の一画面メニューにおいて、「セレクト」キー３の↑↓キーにより「指定コマへのスキップ」のメニューを選択し、←→キーで数値選択を行い、「実行／プレイ」キー９を押すと、ステップＳ９に戻り、選択した指定コマの１コマ再生が行われる。
【００６３】
また、一画面メニューにおいて、「セレクト」キー３の↑↓キーにより「プリント注文指定へ」のメニューを選択し、「実行／プレイ」キー９を押すと、プリント内容を詳細に指定するためのプリント詳細指定画面となる（ステップＳ９−２）。この画面において、プリントタイプ（Ｐ／Ｈ／Ｃ）の指定、日付をプリントの表面と裏面の両面あるいは裏面に印字する印字指定及びタイトルを裏面に印字する裏印字指定が行われる。
【００６４】
ここで、タイトルの種類及びタイトルの裏印字指定の方法について説明する。タイトルには、前述した全コマタイトルには、全コマ選択タイトルと、全コマ自由タイトルとがあり、また、各コマタイトルには、コマ選択タイトルと、コマ自由タイトルとがある。尚、自由タイトルは、ステップＳ６−３、ステップＳ９−４において、入力画面を用いてユーザーが自由に入力したタイトルであり、選択タイトルは、言語指定コードとタイトルコードとによって定義された予め設定された複数のタイトルの中から、カメラでの撮影時に選択したタイトルである。
【００６５】
そして、タイトルのプリントへの裏印字指定は、プリント詳細指定画面（ステップＳ９−２）において、「タイトル裏印字指定」を選択した状態で、「セレクト」キー３の←→キーを操作することにより、“指定なし”→“コマ自由タイトルのみ”→“コマ選択タイトルのみ”→“全コマ自由タイトルのみ”→“全コマ選択タイトルのみ”→“全コマ自由タイトルとコマ自由タイトル”→“全コマ自由タイトルとコマ選択タイトル”→“全コマ選択タイトルとコマ自由タイトル”→“全コマ選択タイトルとコマ選択タイトル”の順に切り替え、「実行／プレイ」キー９で決定すると、下記のように、全コマ、コマ毎に指定したか否かの“＊”表示を行うとともに、指定したタイトルの内容をモニタＴＶに表示させる。
0003700884.tif 000004
尚、指定したタイトルが無い場合は、タイトル欄は“空欄”とする。また、“＊”表示の代わりに、裏印字指定を示す文字を表示するようにしてもよい。更に、全コマ、各コマともに自由タイトルを指定した場合で、その機器で扱っていない言語のタイトルの場合には、タイトル欄に“ヒョウジデキマセン”を表示し、一方、選択タイトルを指定した場合で、その機器で扱っていない言語のタイトルコードの場合には、
・各国言語共通の意味を持つタイトルコードの場合は、その内容を英語に翻訳して表示し、
・各国言語固有の意味を持つタイトルコードの場合は、言語指定コードとタイトルコードをそれぞれタイトル欄に表示する（例えば、米語“Thanksgiving" の場合は、言語指定コード＝Ｌ−１３，タイトルコード＝Ｔ−５３である）。
【００６６】
また、前述したようにリモコン１２０の「データ表示」キー１３の操作によってコマ画像に全コマタイトル、各コマタイトル等が表示することができるが、この場合には、裏印字指定がされたタイトルのみが表示される。従って、裏印字情報が“指定なし”の場合には、タイトルは表示されない。
一方、全自動再生の最初に表示する全コマタイトルの選択タイトルと自由タイトルの選択情報は、リーダー部に記録する裏印字指定情報を使用する。即ち、裏印字指定情報に基づいて次回の自動再生表示の最初に表示するタイトルは、その情報にしたがって表示する。但し、自由タイトルが選択されているが、その機器で扱われない言語指定コードの場合は、“空欄”表示する。また、その情報が無い場合は、全コマの自由タイトルが有れば、その内容を、自由タイトルがなく選択タイトルがあればその内容を表示する。そして、自由タイトル、選択タイトルとも無い場合には、空欄とする。
【００６７】
また、プリント詳細指定画面において、「セレクト」キー３の↑↓キーにより「日付入力へ」のメニューを選択し、「実行／プレイ」キー９を押すと、日付入力画面となる（ステップＳ９−３）。ここで、年月日を示す各数値を入力することができる。また、プリント詳細指定画面において、「セレクト」キー３により「コマタイトル入力へ」のメニューを選択し、「実行／プレイ」キー９を押すと、コマタイトル入力画面となる（ステップＳ９−４）。この画面において、カナ文字や英数文字、あるいは選択タイトル等を「セレクト」キー３で適宜選択し、所望の各コマタイトルを入力することができる。
【００６８】
更に、ステップＳ９−１の一画面メニューにおいて、「セレクト」キー３の↑↓キーにより「インデックスへ戻る」のメニューを選択し、「実行／プレイ」キー９を押すと、再度インデックス・スキャンを実行し、インデックス表示を行う（図５のステップＳ６）。
尚、この実施の形態では、プリントタイプ、撮影日時、コマ画像の天地左右等の情報を記録する写真フイルムの情報記録部として、写真フイルム上に塗布された磁気記録層を用いた場合について説明したが、これに限らず、写真フイルムが収納されるフイルムカートリッジに取り付けられた記憶手段に記録するようにしてもよい。
【００６９】
図１６は情報記録部として使用されるＩＣユニット２１６を備えたフイルムカートリッジ２１０の一例を示している。このＩＣユニット２１６は、フイルムカートリッジの収納部２３２に収納できるようになっており、各種の情報が記録可能な不揮発性メモリ２１８と、この不揮発性メモリ２１８に接続された６つの電極板２２０〜２３０とから構成されている。また、フイルムカートリッジ２１１には、ＩＣユニット２１６の６つの電極板２２０〜２３０に対応する位置に６つのコンタクトピン用孔２３４〜２４４が形成されている。従って、フイルムプレーヤ等は、コンタクトピン用孔２３４〜２４４を介して電極板２２０〜２３０にコンタクトピンを当接させることにより、フイルムカートリッジ２１１に設けられた不揮発性メモリ２１８に情報を記録し又は不揮発性メモリ２１８から情報を読み出すことができる。
【００７０】
【発明の効果】
以上説明したように本発明によれば、インデックス画像の表示を行ったのち、複数の再生モードのうちから所望の再生モードを選択できるようにしたため、再生モードを選択する前にインデックス画像によって１ロールのフイルムの内容を把握することができ、適切な再生モードの決定ができる。また、インデックス画像によって再生モードにおける再生時の再生開始コマの指定も可能となり、これにより不要なコマ画像の再生を禁止することができる。更に、インデックス画像によって写真フイルムに写し込まれている内容を把握できるため、そのフイルムに対して適切な全コマタイトルを付けることができ、また、インデックス表示から再生モードによる１コマ再生までの間に、全コマタイトルを表示するようにしたため、インデックス表示から再生モードによる１コマ再生に移行するまでの期間、そのフイルムの内容を確認することができる。更にまた、予め記憶されている複数のＢＧＭを、再生モードでの連続再生のスタート／ストップ、あるいはポーズ／再開で順次切り替えるようにしたため、ＢＧＭを効果的に切り替えることができ、フイルム画像の再生を楽しむことができる。
【００７１】
また、本発明によれば、焼き増し時に必要なプリント注文情報の入力・編集をインデックス画面上で行い、フイルム全体に関わる情報、及び各コマ情報の中で編集頻度の高い情報をインデックス画面上で扱い、その他の各コマ情報を各コマ画面で扱うようにしたため、焼き増し時に必要なプリント注文情報を分かりやすく、かつ容易に編集して記録することができる。更に、写真フイルムの情報記録部に記録された情報の再生エラーが発生した場合でも、再生直後にその旨を表示し、以降の処理を継続するか否かの選択をユーザーに行わせるようにしたため、ユーザーは混乱なく対処することができる。更にまた、再生した情報中にタイトルの印字指定情報がない場合には、そのタイトルを表示手段に表示することを禁止し、また、再生した情報中にタイトルの言語を示す言語指定コードとともにタイトル情報があり、かつ該言語指定コードが所定の言語指定コード以外の場合には、その旨を表示手段に表示し、又は表示手段のタイトル表示部分を空欄にし、又は言語指定コードと選択タイトルを示すタイトルコードのみを表示手段に表示し、又は所定の言語に翻訳したタイトルを表示手段に表示するようにしたため、ユーザーは容易にタイトル内容を確認することができる。
【図面の簡単な説明】
【図１】図１は本発明が適用されるフイルムプレーヤを含むシステム全体の概略構成を示す斜視図である。
【図２】図２は図１に示したフイルムプレーヤに適用されるフイルムカートリッジの一例を示す図である。
【図３】図３は図１に示したフイルムプレーヤの内部構成の一実施の形態を示すブロック図である。
【図４】図４は図１に示したフイルムプレーヤの作用を説明するために用いたフローチャートである。
【図５】図５は図１に示したフイルムプレーヤの作用を説明するために用いたフローチャートである。
【図６】図６は図１に示したフイルムプレーヤの作用を説明するために用いたフローチャートである。
【図７】図７は図１に示したフイルムプレーヤにおいて搬送されるフイルムの搬送シーケンスの一例を示す図である。
【図８】図８（Ａ）乃至（Ｄ）は図１に示したフイルムプレーヤにおけるＣＣＤバッファ、表示バッファにおける記憶領域及びモニタＴＶの表示画面を示す図である。
【図９】図９はインデックス画像を説明するために用いた図である。
【図１０】図１０はインデックス画像を用いたコマの縦横設定を説明するために用いた図である。
【図１１】図１１はインデックス画像を用いたスキップ設定を説明するために用いた図である。
【図１２】図１２はインデックス画像を用いた各コマのプリント枚数の設定を説明するために用いた図である。
【図１３】図１３は写真フイルムの磁気トラックに記録される磁気情報の記録フォーマットを示す図である。
【図１４】図１４はデータフィールドの縦方向のパリティー値を示すＬＲＣを含むデータ列を示す図である。
【図１５】図１５は磁気情報の再生エラーに対する処理を説明するために用いたフローチャートである。
【図１６】図１６は情報記録部として使用されるＩＣユニットを備えたフイルムカートリッジの一例を示す斜視図である。
【符号の説明】
１００…フイルムプレーヤ
１０９…モニタＴＶ
１１０、２１０…フイルムカートリッジ
１１４…写真フイルム
１１４Ａ…パーフォレーション
１１４Ｂ…磁気記録層
１２０…リモコン
１３０…光源
１３６…撮影レンズ
１４２…ＣＣＤラインセンサ
１５１…第１信号処理回路
１５２…第２信号処理回路
１５３…第３信号処理回路
１５４…メモリ制御回路
１６０…中央処理装置（ＣＰＵ）
１７０…フイルム駆動メカ
１８０…光学データ読取装置
１８２…磁気記録再生装置
２１６…ＩＣユニット
Ｍ１…ＣＣＤバッファ
Ｍ２…表示バッファ
【図１】
0003700884.tif 000005
【図２】
0003700884.tif 000006
【図３】
0003700884.tif 000007
【図４】
0003700884.tif 000008
【図５】
0003700884.tif 000009
【図６】
0003700884.tif 000010
【図７】
0003700884.tif 000011
【図８】
0003700884.tif 000012
【図９】
0003700884.tif 000013
【図１０】
0003700884.tif 000014
【図１１】
0003700884.tif 000015
【図１２】
0003700884.tif 000016
【図１３】
0003700884.tif 000017
【図１４】
0003700884.tif 000018
【図１５】
0003700884.tif 000019
【図１６】
0003700884.tif 000020